(57)【要約】【課題】電極間のギャップをなくして表示媒体の移動しない領域をなくすことで、表示欠陥を防止することができる情報表示用パネルを提供する。【解決手段】少なくとも一方が透明な２枚の基板１、２間に表示媒体３を封入し、基板上に設けた電極５、６に電圧を印加することで表示媒体に電界を付与し、表示媒体を移動させて情報を表示する情報表示用パネルにおいて、基板上に複数の電極５（６）を配置し、隣り合う電極間において、一方の電極が他方の電極の一部に乗り上げた形状とするとともに、一方の電極と他方の電極との間に絶縁膜１１を形成した構造とする。【選択図】図３
2006145600.tif 000002
【特許請求の範囲】
【請求項１】
少なくとも一方が透明な２枚の基板間に表示媒体を封入し、基板上に設けた電極に電圧を印加することで表示媒体に電界を付与し、表示媒体を移動させて情報を表示する情報表示用パネルにおいて、基板上に複数の電極を配置し、隣り合う電極間において、一方の電極が他方の電極の一部に乗り上げた形状とするとともに、一方の電極と他方の電極との間に絶縁膜を形成した構造としたことを特徴とする情報表示用パネル。
【請求項２】
基板上に設けた複数の電極が、ライン状電極であることを特徴とする請求項１に記載の情報表示用パネル。
【請求項３】
基板上に設けた複数の電極が、セグメント電極であることを特徴とする請求項１に記載の情報表示用パネル。
【請求項４】
基板間に隔壁を設け、隔壁により画成されたセル内に表示媒体を封入するパネルであって、隔壁で画成されるセルの形状が六角形で配置がハニカム配置であることを特徴とする請求項１〜３のいずれか１項に記載の情報表示用パネル。
【発明の詳細な説明】
【技術分野】
【０００１】
本発明は、少なくとも一方が透明な２枚の基板間に表示媒体を封入し、基板上に設けた電極に電圧を印加することで表示媒体に電界を付与し、表示媒体を移動させて情報を表示する情報表示用パネルに関するものである。
【背景技術】
【０００２】
従来より、液晶（ＬＣＤ）に代わる情報表示装置として、電気泳動方式、エレクトロクロミック方式、サーマル方式、２色粒子回転方式等の技術を用いた情報表示装置が提案されている。
【０００３】
これら従来技術は、ＬＣＤと比較すると、通常の印刷物に近い広い視野角が得られる、消費電力が小さい、メモリー機能を有している等のメリットがあることから、次世代の安価な情報表示装置に使用可能な技術として考えられており、携帯端末用情報表示、電子ペーパー等への展開が期待されている。特に最近では、分散粒子と着色溶液から成る分散液をマイクロカプセル化し、これを対向する基板間に配置して成る電気泳動方式が提案され、期待が寄せられている。
【０００４】
しかしながら、電気泳動方式では、液中を粒子が泳動するために液の粘性抵抗により応答速度が遅くなるという問題がある。さらに、低比重の溶液中に酸化チタン等の高比重の粒子を分散させているため沈降しやすくなっており、分散状態の安定性維持が難しく、情報表示の繰り返し安定性に欠けるという問題を抱えている。また、マイクロカプセル化にしても、セルサイズをマイクロカプセルレベルにして、見かけ上、上述した欠点が現れにくくしているだけであって、本質的な問題は何ら解決されていない。
【０００５】
一方、溶液中での挙動を利用する電気泳動方式に対し、溶液を使わず、導電性粒子と電荷輸送層とを基板の一部に組み入れる方式も提案され始めている（例えば、非特許文献１参照）。しかし、電荷輸送層、さらには電荷発生層を配置するために構造が複雑化するとともに、導電性粒子に電荷を一定に注入することは難しいため、表示安定性に欠けるという問題もある。
【０００６】
上述した種々の問題を解決するための一方法として、少なくとも一方が透明である２枚の対向する基板間に、あるいは、基板間の隔壁によって画成されたセル内に、表示媒体を封入し、基板上に設けた電極に電圧を印加することで表示媒体に電界を与え、表示媒体を移動させて画像等の情報を表示する情報表示用パネルが知られている。
【非特許文献１】趙  国来、外３名、“新しいトナーディスプレイデバイス（Ｉ）”、１９９９年７月２１日、日本画像学会年次大会（通算８３回）“Japan Hardcopy’99”論文集、p.249-252
【発明の開示】
【発明が解決しようとする課題】
【０００７】
図１０（ａ）、（ｂ）はそれぞれ従来のライン状電極と六角形ハニカム配置されたセルとを有する情報表示用パネルにおける基板と電極との関係を示す図であり、図１０（ａ）はその側面図を示し、図１０（ｂ）はその平面図を示している。図１０（ａ）、（ｂ）に示す例では、基板５１上に複数の電極５２をライン状に配置し、隣り合う電極５２間にギャップ５３を形成している。この電極５２間のギャップ５３の部分には電圧が印加されないため、表示媒体が移動しない領域となり、画像等の情報を表示するにあたり表示欠陥となる問題があった。
【０００８】
この表示欠陥に関しては、ギャップ５３は、プロセス能力・リークマージンによって一義的に決まってしまうため、１画素あたりの表示面積の小さい高精細パネルほど非表示領域の影響が大きく、問題となっていた。また、隔壁（リブ）５４を設ける場合において、図１０（ｂ）に示すように、画素と隔壁５４とが同期していないハニカム配置では、ギャップ５３の部分に隔壁５４で形成されるセルが存在するために、その影響が特に大きかった。
【０００９】
本発明の目的は上述した問題点を解消して、電極間のギャップをなくして表示媒体の移動しない領域をなくすことで、表示欠陥を防止することができる情報表示用パネルを提供しようとするものである。
【課題を解決するための手段】
【００１０】
本発明の情報表示用パネルは、少なくとも一方が透明な２枚の基板間に表示媒体を封入し、基板上に設けた電極に電圧を印加することで表示媒体に電界を付与し、表示媒体を移動させて画像等の情報を表示する情報表示用パネルにおいて、基板上に複数の電極を配置し、隣り合う電極間において、一方の電極が他方の電極の一部に乗り上げた形状とするとともに、一方の電極と他方の電極との間に絶縁膜を形成した構造としたことを特徴とするものである。
【００１１】
なお、本発明の情報表示用パネルの好適例としては、ライン状電極、セグメント電極のパネルを構成すること、および、基板間に隔壁を設け、隔壁により画成されたセル内に表示媒体を封入するパネルであって、隔壁で画成されるセルの形状が六角形で配置がハニカム配置であること、がある。
【発明の効果】
【００１２】
本発明によれば、基板上に複数の電極を配置し、隣り合う電極間において、一方の電極が他方の電極の一部に乗り上げた形状とするとともに、一方の電極と他方の電極との間に絶縁膜を形成した構造としたことで、電極間のギャップをなくして表示媒体の移動しない領域をなくすことで、表示欠陥を防止することができる情報表示用パネルを得ることができる。その結果、高い表示品質（特に高精細）の情報表示用パネルを供給することが可能となる。
【発明を実施するための最良の形態】
【００１３】
まず、本発明の情報表示用パネルの基本的な構成について説明する。本発明の情報表示用パネルでは、対向する２枚の基板間に封入した表示媒体に電界が付与される。付与された電界方向にそって、高電位側に向かっては低電位に帯電した表示媒体が電界による力やクーロン力などによって引き寄せられ、また、低電位側に向かっては高電位に帯電した表示媒体が電界による力やクーロン力などによって引き寄せられ、それら表示媒体が電位の切替による電界方向の変化によって往復運動することにより、画像等の情報表示がなされる。従って、表示媒体が、均一に移動し、かつ、繰り返し時あるいは保存時の安定性を維持できるように、情報表示用パネルを設計する必要がある。ここで、表示媒体を構成する粒子にかかる力は、粒子同士のクーロン力により引き付けあう力の他に、電極や基板との電気影像力、分子間力、液架橋力、重力などが考えられる。
【００１４】
本発明の情報表示用パネルの例を、図１（ａ）、（ｂ）〜図２（ａ）、（ｂ）に基づき説明する。
【００１５】
図１（ａ）、（ｂ）に示す例では、少なくとも１種以上の粒子から構成される少なくとも２種以上の色の異なる表示媒体３（ここでは白色表示媒体として白色粒子群３Ｗと黒色表示媒体として黒色粒子群３Ｂを示す）を、基板１に設けた電極５と基板２に設けた電極６との間に電圧を印加することにより発生する電界に応じて、基板１、２と垂直に移動させ、黒色粒子群３Ｂを観察者に視認させて黒色の表示を行うか、あるいは、白色粒子群３Ｗを観察者に視認させて白色の表示を行っている。なお、図１（ｂ）に示す例では、図１（ａ）に示す例に加えて、基板１、２との間に例えば格子状に隔壁４を設け表示セルを画成している。また、図１（ａ）、（ｂ）に示す例では手前の隔壁４は省かれている。
【００１６】
図２（ａ）、（ｂ）に示す例では、少なくとも１種以上の粒子から構成される少なくとも色と帯電性を有する表示媒体３（ここでは白色表示媒体として白色粒子群３Ｗを示す）を、基板１に設けた電極５と電極６との間に電圧を印加することにより発生する電界に応じて、基板１、２と平行方向に移動させ、白色粒子群３Ｗを観察者に視認させて白色の表示を行うか、あるいは、電極６または基板１の色を観察者に視認させて電極６または基板１の色の表示を行っている。なお、図２（ｂ）に示す例では、図２（ａ）に示す例に加えて、基板１、２との間に例えば格子状の隔壁４を設け表示セルを画成している。また、図２（ａ）、（ｂ）に示す例では手前の隔壁４が省かれている。
【００１７】
以上の説明は、白色粒子群３Ｗを白色粉流体に、黒色粒子群３Ｂを黒色粉流体に、それぞれ置き換えた場合も同様に適用することが出来る。
【００１８】
図３（ａ）、（ｂ）はそれぞれ本発明の情報表示用パネルにおける基板と電極との関係を示す図であり、図３（ａ）はその側面図を示し、図３（ｂ）はその平面図を示している。図３（ａ）、（ｂ）に示す例では、基板１上に設けた電極を、複数の電極５をライン状に配置し、隣り合う電極５間において、一方の電極５が他方の電極５の一部に乗り上げた形状とするとともに、一方の電極５と他方の電極との間に絶縁膜１１を形成した構造としている。上述した例において、隣り合う電極５間における電極５の乗り上げ例は一例であり、どちらの電極５が上になっても良い。また、上述した例では、基板１及び電極５を例にとって説明したが、基板２及び電極６も同じ構成をとることができる。なお、電極５としては後に詳述する電極材料を用いることができ、絶縁膜１１としては従来から知られている絶縁材料のいずれをも使用することができる。
【００１９】
図４は本発明の情報表示用パネルの一例の構成を示す図である。図４に示す例において、本発明の情報表示用パネルは、少なくとも一方が透明な２枚の基板１、２間の隔壁４によって画成されたセル１２内に、表示媒体３として黒色粒子群３Ｂと白色粒子群３Ｗとを封入し、基板１、２上に設けた電極５、６に電圧を印加することで黒色粒子群３Ｂと白色粒子群３Ｗとに電界を付与し、黒色粒子群３Ｂと白色粒子群３Ｗとを移動させて情報を表示するよう構成されている。本発明の特徴は、図４に示す情報表示用パネルにおいて、図３（ａ）、（ｂ）に示すような基板１、２と電極５、６との関係を得ること、すなわち、基板１（２）上に複数の電極５（６）をライン状に配置し、隣り合う電極５（６）間において、一方の電極５（６）が他方の電極５（６）の一部に乗り上げた形状とするとともに、一方の電極５（６）と他方の電極５（６）との間に絶縁膜１１を形成した構造とすることにある。
【００２０】
図４に示す本発明の情報表示用パネルでは、従来の情報表示用パネルでは存在していた、隔壁（リブ）４で画成されたセル１２内における電極間ギャップを無くすることができる。従って、セル１２内において電圧が印加されない部分が存在しなくなるため、セル１２内全域にわたって表示媒体３としての黒色粒子群３Ｂと白色粒子群３Ｗとを安定的に移動させることが可能になる。その結果、高い表示品質（特に高精細）の情報表示用パネルを供給することが可能となる。
【００２１】
次に、図５（ａ）〜（ｅ）、図６（ａ）〜（ｃ）及び図７（ａ）〜（ｅ）により、本発明の情報表示用パネルの製造方法について説明する。なお、これらの例において、複数の電極５のうち隣り合う電極を第１電極５−１、第２電極５−２とし、複数の電極６のうち隣り合う電極を第１電極６−１、第２電極６−２として説明する。
【００２２】
図５（ａ）〜（ｅ）はそれぞれ本発明の情報表示用パネルにおいて基板上に電極を形成する方法の一例を工程順に示す図である。図５（ａ）〜（ｅ）に示す例は、上下の基板として使用可能な透明基板上に透明電極を設ける場合に好適な例を示している。本例では、第１電極６−１、第２電極６−２を形成する材料としてＩＴＯを用い、絶縁膜１１を形成する材料としてＴａ２Ｏ５を用いている。その他、第１電極６−１、第２電極６−２としてはＺｎＯ、ＳｎＯ２等の透明導電膜も使用でき、絶縁膜１１としては透明であればどのような絶縁材料でも使用することができる。なお、本例は、材料を変更することによって、不透明な基板上に電極を形成する方法として用いることもできる。
【００２３】
本例では、まず、図５（ａ）に示すように、透明基板２上に第１電極６−１を形成するＩＴＯを成膜後パターニングして、複数のライン状の第１電極６−１を形成する。次に、図５（ｂ）に示すように、第１電極６−１を形成した基板２上に絶縁膜１１を形成するＴａ２Ｏ５を成膜する。次に、図５（ｃ）に示すように、成膜したＴａ２Ｏ５をパターニングして、Ｔａ２Ｏ５が第１電極６−１のみを被覆する構造を得る。次に、図５（ｄ）に示すように、全面に第２電極６−２を形成するＩＴＯを成膜後パターニングして、第１電極６−１の端部と第２電極６−２の端部とを重複させた状態で、絶縁膜１１を露出させる。最後に、図５（ｅ）に示すように、絶縁膜１１を再パターニングして、一方の電極である第２電極６−２が他方の電極である第１電極６−１の一部に乗り上げるとともに、第１電極６−１と第２電極６−２との間に絶縁膜１１を形成した構造を得ている。
【００２４】
図６（ａ）〜（ｃ）はそれぞれ本発明の情報表示用パネルにおいて基板上に電極を形成する方法の他の例を工程順に示す図である。図６（ａ）〜（ｃ）に示す例は、図５（ａ）〜（ｅ）に示した例と同様に、上下の基板として使用可能な透明基板上に透明電極を設ける場合好適な方法を示している。本例でも、第１電極６−１、第２電極６−２を形成する材料としてＩＴＯを用い、絶縁膜１１を形成する材料としてＴａ２Ｏ５を用いている。その他、第１電極６−１、第２電極６−２としてはＺｎＯ、ＳｎＯ２等の透明導電膜も使用でき、絶縁膜１１としては透明であればどのような絶縁材料でも使用することができる。なお、本例は、材料を変更することによって、不透明な基板上に電極を形成する方法として用いることもできる。
【００２５】
本例では、まず、図６（ａ）に示すように、透明基板２上に第１電極６−１を形成するＩＴＯを成膜後パターニングして、複数のライン状の第１電極６−１を形成する。次に、図６（ｂ）に示すように、第１電極６−１を形成した基板２上に絶縁膜１１を形成するＴａ２Ｏ５を成膜後、さらにその上に第２電極６−２を形成するＩＴＯを成膜する。最後に、図６（ｃ）に示すように、第２電極６−２を形成するＩＴＯ及び絶縁膜１１を形成するＴａ２Ｏ５を同時にパターニングして、第１電極６−１の端部と第２電極６−２の端部とを重複させた状態で、第１電極６−１を露出させる。これにより、一方の電極である第２電極６−２が他方の電極である第１電極６−１の一部に乗り上げるとともに、第１電極６−１と第２電極６−２との間に絶縁膜１１を形成した構造を得ている。
【００２６】
図７（ａ）〜（ｅ）はそれぞれ本発明の情報表示用パネルにおいて基板上に電極を形成する方法のさらに他の例を工程順に示す図である。図７（ａ）〜（ｅ）に示す例は、表示側でない下基板としてのみ使用可能な不透明基板の形成方法として好適な方法を示している。本例では、第１電極５−１を形成する材料としてアルミニウムを用い、第２電極５−２を形成する材料としてクロムを用い、絶縁膜１１を形成する材料としてＴａ２Ｏ５を用いている。その他、第１電極５−１、第２電極５−２としては上記以外のメタルや透明導電膜を使用することができ、また、絶縁膜１１は絶縁材料でありさえすれば、透明、不透明どちらも使用することができる。なお、本例は、材料を変更することによって、透明な基板上に透明な電極を形成する場合にも用いることができる。
【００２７】
本例では、まず、図７（ａ）に示すように、不透明基板１上に第１電極を形成するアルミニウムを成膜後パターニングして、複数のライン状の第１電極５−１を形成する。次に、図７（ｂ）に示すように、第１電極５−１を形成した基板２上に絶縁膜１１を形成するＴａ２Ｏ５を成膜する。次に、図７（ｃ）に示すように、成膜したＴａ２Ｏ５をパターニングして、Ｔａ２Ｏ５が第１電極５−１の端部のみを被覆する構造を得る。次に、図７（ｄ）に示すように、全面に第２電極５−２を形成するクロムを成膜する。最後に、図７（ｅ）に示すように、成膜したクロムをパターニングして、第１電極５−１の一部を露出させる。これにより、一方の電極である第２電極５−２が他方の電極である第１電極５−１の一部に乗り上げるとともに、第１電極５−１と第２電極５−２との間に絶縁膜１１を形成した構造を得ている。
【００２８】
図８（ａ）、（ｂ）はそれぞれ従来例及び本発明例におけるセグメント電極の一例を説明するための図である。図８（ａ）に示すように、従来例においてセグメント表示を背景付きで行う場合、セグメント電極２１と背景電極２２との間のギャップ部２３には電極がないため非表示部となってしまい、表示品質を劣化させてしまう。一方、図８（ｂ）に示すように、本発明例においてセグメント表示を背景付きで行う場合、ギャップ部２３が無いため全面が表示部となり、表示品質の劣化を防ぐことができる。
【００２９】
以下、本発明の情報表示用パネルを構成する各部材について説明する。
【００３０】
基板については、少なくとも一方の基板はパネル外側から表示媒体３の色が確認できる透明な基板２であり、可視光の透過率が高くかつ耐熱性の良い材料が好適である。基板１は透明でも不透明でもかまわない。基板材料を例示すると、ポリエチレンテレフタレート、ポリエーテルサルフォン、ポリエチレン、ポリカーボネート、ポリイミド、アクリルなどのポリマーシートや、金属シートのように可とう性のあるもの、および、ガラス、石英などの可とう性のない無機シートが挙げられる。基板の厚みは、２〜５０００μｍが好ましく、さらに５〜２０００μｍが好適であり、薄すぎると、強度、基板間の間隔均一性を保ちにくくなり、５０００μｍより厚いと、薄型情報表示用パネルとする場合に不都合がある。
【００３１】
電極の電極形成材料としては、アルミニウム、銀、ニッケル、銅、金等の金属類やＩＴＯ、酸化インジウム、導電性酸化錫、導電性酸化亜鉛等の導電金属酸化物類、ポリアニリン、ポリピロール、ポリチオフェンなどの導電性高分子類が例示され、適宜選択して用いられる。電極の形成方法としては、上記例示の材料をスパッタリング法、真空蒸着法、ＣＶＤ（化学蒸着）法、塗布法等で薄膜状に形成する方法や、導電剤を溶媒や合成樹脂バインダーに混合して塗布したりする方法が用いられる。視認側（表示側）基板に設ける電極は透明である必要があるが、背面側基板に設ける電極は透明である必要がない。いずれの場合もパターン形成可能である導電性である上記材料を好適に用いることができる。なお、電極厚みは、導電性が確保でき光透過性に支障がなければ良く、３〜１０００ｎｍ、好ましくは５〜４００ｎｍが好適である。背面側基板に設ける電極の材質や厚みなどは上述した表示側基板に設ける電極と同様であるが、透明である必要はない。なお、この場合の外部電圧入力は、直流あるいは交流を重畳しても良い。
【００３２】
必要に応じて設ける隔壁４については、その形状は表示にかかわる表示媒体の種類により適宜最適設定され、一概には限定されないが、隔壁の幅は２〜１００μｍ、好ましくは３〜５０μｍに、隔壁の高さは１０〜５００μｍ、好ましくは１０〜２００μｍに調整される。これらのリブからなる隔壁により形成される表示セルは、図９に示すごとく、基板平面方向からみて四角状、三角状、ライン状、円形状、六角状が例示され、配置としては格子状やハニカム状や網目状が例示される。表示側から見える隔壁断面部分に相当する部分（表示セルの枠部の面積）はできるだけ小さくした方が良く、表示の鮮明さが増す。
【００３３】
次に、本発明の情報表示用パネルで表示媒体として用いる粉流体について説明する。なお、本発明の表示媒体としての粉流体の名称については、本出願人が「電子粉流体（登録商標）：登録番号４６３６９３１」の権利を得ている。
【００３４】
本発明における「粉流体」は、気体の力も液体の力も借りずに、自ら流動性を示す、流体と粒子の特性を兼ね備えた両者の中間状態の物質である。例えば、液晶は液体と固体の中間的な相と定義され、液体の特徴である流動性と固体の特徴である異方性（光学的性質）を有するものである（平凡社：大百科事典）。一方、粒子の定義は、無視できるほどの大きさであっても有限の質量をもった物体であり、重力の影響を受けるとされている（丸善：物理学事典）。ここで、粒子でも、気固流動層体、液固流動体という特殊状態があり、粒子に底板から気体を流すと、粒子には気体の速度に対応して上向きの力が作用し、この力が重力とつりあう際に、流体のように容易に流動できる状態になるものを気固流動層体と呼び、同じく、流体により流動化させた状態を液固流動体と呼ぶとされている（平凡社：大百科事典）。このように気固流動層体や液固流動体は、気体や液体の流れを利用した状態である。本発明では、このような気体の力も、液体の力も借りずに、自ら流動性を示す状態の物質を、特異的に作り出せることが判明し、これを粉流体と定義した。
【００３５】
すなわち、本発明における粉流体は、液晶（液体と固体の中間相）の定義と同様に、粒子と液体の両特性を兼ね備えた中間的な状態で、先に述べた粒子の特徴である重力の影響を極めて受け難く、高流動性を示す特異な状態を示す物質である。このような物質はエアロゾル状態、すなわち気体中に固体状もしくは液体状の物質が分散質として安定に浮遊する分散系で得ることができ、本発明の情報表示用パネルで固体状物質を分散質とするものである。
【００３６】
本発明の情報表示用パネルは、少なくとも一方が透明な、対向する基板間に、表示媒体として例えば気体中に固体粒子が分散質として安定に浮遊するエアロゾル状態で高流動性を示す粉流体を封入するものであり、このような粉流体は、低電圧の印加でクーロン力などにより容易に安定して移動させることができる。
本発明に表示媒体として例えば用いる粉流体とは、先に述べたように、気体の力も液体の力も借りずに、自ら流動性を示す、流体と粒子の特性を兼ね備えた両者の中間状態の物質である。この粉流体は、特にエアロゾル状態とすることができ、本発明の情報表示用パネルでは、気体中に固体状の物質が分散質として比較的安定に浮遊する状態で用いられる。
【００３７】
次に、本発明の情報表示用パネルにおいて表示媒体を構成する表示媒体用粒子（以下、粒子ともいう）について説明する。表示媒体用粒子は、そのまま該表示媒体用粒子だけで構成して表示媒体としたり、その他の粒子と合わせて構成して表示媒体としたり、粉流体となるように調整、構成して表示媒体としたりして用いられる。
粒子には、その主成分となる樹脂に、必要に応じて、従来と同様に、荷電制御剤、着色剤、無機添加剤等を含ますことができる。以下に、樹脂、荷電制御剤、着色剤、その他添加剤を例示する。
【００３８】
樹脂の例としては、ウレタン樹脂、ウレア樹脂、アクリル樹脂、ポリエステル樹脂、アクリルウレタン樹脂、アクリルウレタンシリコーン樹脂、アクリルウレタンフッ素樹脂、アクリルフッ素樹脂、シリコーン樹脂、アクリルシリコーン樹脂、エポキシ樹脂、ポリスチレン樹脂、スチレンアクリル樹脂、ポリオレフィン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ポリアミド樹脂等が挙げられ、２種以上混合することもできる。特に、基板との付着力を制御する観点から、アクリルウレタン樹脂、アクリルシリコーン樹脂、アクリルフッ素樹脂、アクリルウレタンシリコーン樹脂、アクリルウレタンフッ素樹脂、フッ素樹脂、シリコーン樹脂が好適である。
【００３９】
荷電制御剤としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体等が挙げられる。正荷電制御剤としては例えば、ニグロシン染料、トリフェニルメタン系化合物、４級アンモニウム塩系化合物、ポリアミン樹脂、イミダゾール誘導体等が挙げられる。その他、超微粒子シリカ、超微粒子酸化チタン、超微粒子アルミナ等の金属酸化物、ピリジン等の含窒素環状化合物及びその誘導体や塩、各種有機顔料、フッ素、塩素、窒素等を含んだ樹脂等も荷電制御剤として用いることもできる。
【００４０】
着色剤としては、以下に例示するような、有機または無機の各種、各色の顔料、染料が使用可能である。
【００４１】
黒色着色剤としては、カーボンブラック、酸化銅、二酸化マンガン、アニリンブラック、活性炭等がある。
青色着色剤としては、Ｃ．Ｉ．ピグメントブルー１５：３、Ｃ．Ｉ．ピグメントブルー１５、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダンスレンブルーＢＣ等がある。
赤色着色剤としては、ベンガラ、カドミウムレッド、鉛丹、硫化水銀、カドミウム、パーマネントレッド４Ｒ、リソールレッド、ピラゾロンレッド、ウォッチングレッド、カルシウム塩、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２等がある。
【００４２】
黄色着色剤としては、黄鉛、亜鉛黄、カドミウムイエロー、黄色酸化鉄、ミネラルファーストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２等がある。
緑色着色剤としては、クロムグリーン、酸化クロム、ピグメントグリーンＢ、Ｃ．Ｉ．ピグメントグリーン７、マラカイトグリーンレーキ、ファイナルイエローグリーンＧ等がある。
橙色着色剤としては、赤色黄鉛、モリブデンオレンジ、パーマネントオレンジＧＴＲ、ピラゾロンオレンジ、バルカンオレンジ、インダンスレンブリリアントオレンジＲＫ、ベンジジンオレンジＧ、インダンスレンブリリアントオレンジＧＫ、Ｃ．Ｉ．ピグメントオレンジ３１等がある。
紫色着色剤としては、マンガン紫、ファーストバイオレットＢ、メチルバイオレットレーキ等がある。
白色着色剤としては、亜鉛華、酸化チタン、アンチモン白、硫化亜鉛等がある。
【００４３】
体質顔料としては、バライト粉、炭酸バリウム、クレー、シリカ、ホワイトカーボン、タルク、アルミナホワイト等がある。また、塩基性、酸性、分散、直接染料等の各種染料として、ニグロシン、メチレンブルー、ローズベンガル、キノリンイエロー、ウルトラマリンブルー等がある。
【００４４】
無機系添加剤の例としては、酸化チタン、亜鉛華、硫化亜鉛、酸化アンチモン、炭酸カルシウム、鉛白、タルク、シリカ、ケイ酸カルシウム、アルミナホワイト、カドミウムイエロー、カドミウムレッド、カドミウムオレンジ、チタンイエロー、紺青、群青、コバルトブルー、コバルトグリーン、コバルトバイオレット、酸化鉄、カーボンブラック、マンガンフェライトブラック、コバルトフェライトブラック、銅粉、アルミニウム粉などが挙げられる。
これらの顔料および無機系添加剤は、単独であるいは複数組み合わせて用いることができる。このうち特に黒色顔料としてカーボンブラックが、白色顔料として酸化チタンが好ましい。
【００４５】
また、本発明の粒子は平均粒子径d(0.5)が、０．１〜２０μｍの範囲であり、均一で揃っていることが好ましい。平均粒子径d(0.5)がこの範囲より大きいと表示上の鮮明さに欠け、この範囲より小さいと粒子同士の凝集力が大きくなりすぎるために粒子の移動に支障をきたすようになる。
【００４６】
更に本発明では、各粒子の粒子径分布に関して、下記式に示される粒子径分布Spanを５未満、好ましくは３未満とする。
Span＝（ｄ(0.9)−ｄ(0.1)）／ｄ(0.5)
（但し、ｄ(0.5)は粒子の50％がこれより大きく、50％がこれより小さいという粒子径をμｍで表した数値、ｄ(0.1)はこれ以下の粒子の比率が10％である粒子径をμｍで表した数値、ｄ(0.9)はこれ以下の粒子が90％である粒子径をμｍで表した数値である。）
Spanを５以下の範囲に納めることにより、各粒子のサイズが揃い、均一な粒子移動が可能となる。
【００４７】
さらにまた、各粒子の相関について、使用した粒子の内、最大径を有する粒子のd(0.5)に対する最小径を有する粒子のd(0.5)の比を５０以下、好ましくは１０以下とすることが肝要である。たとえ粒子径分布Spanを小さくしたとしても、互いに帯電特性の異なる粒子が互いに反対方向に動くので、互いの粒子サイズが近く、互いの粒子が当量ずつ反対方向に容易に移動できるようにするのが好適であり、それがこの範囲となる。
【００４８】
なお、上記の粒子径分布および粒子径は、レーザー回折／散乱法などから求めることができる。測定対象となる粒子にレーザー光を照射すると空間的に回折／散乱光の光強度分布パターンが生じ、この光強度パターンは粒子径と対応関係があることから、粒子径および粒子径分布が測定できる。
ここで、本発明における粒子径および粒子径分布は、体積基準分布から得られたものである。具体的には、Mastersizer2000(Malvern Instruments Ltd.）測定機を用いて、窒素気流中に粒子を投入し、付属の解析ソフト（Mie理論を用いた体積基準分布を基本としたソフト）にて、粒子径および粒子径分布の測定を行なうことができる。
【００４９】
表示媒体に用いる粒子の帯電量は当然その測定条件に依存するが、情報表示用パネルにおける表示媒体に用いる粒子の帯電量はほぼ、初期帯電量、隔壁との接触、基板との接触、経過時間に伴う電荷減衰に依存し、特に表示媒体に用いる粒子の帯電挙動の飽和値が支配因子となっているということが分かった。
【００５０】
本発明者らは鋭意検討の結果、ブローオフ法において同一のキャリア粒子を用いて、表示媒体に用いる粒子の帯電量測定を行うことにより、表示媒体に用いる粒子の適正な帯電特性値の範囲を評価できることを見出した。
【００５１】
更に、表示媒体として粒子群や粉流体を用いる本発明において、基板間の表示媒体を取り巻く空隙部分の気体の管理が重要であり、表示安定性向上に寄与する。具体的には、空隙部分の気体の湿度について、２５℃における相対湿度を６０％RH以下、好ましくは５０％RH以下、更に好ましくは３５％RH以下とすることが重要である。
この空隙部分とは、図１（ａ）、（ｂ）〜図２（ａ）、（ｂ）において、対向する基板１、基板２に挟まれる部分から、電極５、６、表示媒体（粒子群あるいは粉流体）３の占有部分、隔壁４の占有部分（隔壁を設けた場合）、情報表示用パネルのシール部分を除いた、いわゆる表示媒体が接する気体部分を指すものとする。
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるように情報表示用パネルに封入することが必要であり、例えば、表示媒体の充填、情報表示用パネルの組み立てなどを所定湿度環境下にて行い、さらに、外からの湿度侵入を防ぐシール材、シール方法を施すことが肝要である。
【００５２】
本発明の情報表示用パネルにおける基板と基板との間隔は、表示媒体が移動できて、コントラストを維持できればよいが、通常１０〜５００μｍ、好ましくは１０〜２００μｍに調整される。
対向する基板間の空間における表示媒体の体積占有率は５〜７０％が好ましく、さらに好ましくは５〜６０％である。７０％を超える場合には表示媒体の移動の支障をきたし、５％未満の場合にはコントラストが不明確となり易い。
【産業上の利用可能性】
【００５３】
本発明の情報表示用パネルは、ノートパソコン、ＰＤＡ、携帯電話、ハンディターミナル等のモバイル機器の表示部、電子ブック、電子新聞等の電子ペーパー、看板、ポスター、黒板等の掲示板、電卓、家電製品、自動車用品等の表示部、ポイントカード、ＩＣカード等のカード表示部、電子広告、電子ＰＯＰ、電子値札、電子棚札、電子楽譜、ＲＦ−ＩＤ機器の表示部などに好適に用いられる。
【図面の簡単な説明】
【００５４】
【図１】（ａ）、（ｂ）はそれぞれ本発明の情報表示用パネルの一例を示す図である。
【図２】（ａ）、（ｂ）はそれぞれ本発明の情報表示用パネルの他の例を示す図である。
【図３】（ａ）、（ｂ）はそれぞれ本発明の情報表示用パネルにおける基板と電極との関係を示す図である。
【図４】本発明の情報表示用パネルの一例の構成を示す図である。
【図５】（ａ）〜（ｅ）はそれぞれ本発明の情報表示用パネルにおいて基板上に電極を形成する方法の一例を工程順に示す図である。
【図６】（ａ）〜（ｃ）はそれぞれ本発明の情報表示用パネルにおいて基板上に電極を形成する方法の他の例を工程順に示す図である。
【図７】（ａ）〜（ｅ）はそれぞれ本発明の情報表示用パネルにおいて基板上に電極を形成する方法のさらに他の例を工程順に示す図である。
【図８】（ａ）、（ｂ）はそれぞれ従来例及び本発明例におけるセグメント電極の一例を説明するための図である。
【図９】本発明の情報表示用パネルにおける隔壁の形状の一例を示す図である。
【図１０】（ａ）、（ｂ）はそれぞれ従来の情報表示用パネルにおける基板と電極との関係を示す図である。
【符号の説明】
【００５５】
１、２  基板
３  表示媒体（粒子群または粉流体）
３Ｗ  白色粒子群（白色粉流体）
３Ｂ  黒色粒子群（黒色粉流体）
４  隔壁
５、６  電極
１１  絶縁膜
１２  セル
２１  セグメント電極
２２  背景電極
２３  ギャップ部
【図１】
2006145600.tif 000003
【図２】
2006145600.tif 000004
【図３】
2006145600.tif 000005
【図４】
2006145600.tif 000006
【図５】
2006145600.tif 000007
【図６】
2006145600.tif 000008
【図７】
2006145600.tif 000009
【図８】
2006145600.tif 000010
【図９】
2006145600.tif 000011
【図１０】
2006145600.tif 000012